【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
装置であって、
１つ以上の端子を特徴とする第１の電子回路と、
前記１つ以上の端子の１つに結合され、１つの端子、または異なる第２の電子回路のコネクタに接続するためのコネクタと、
前記コネクタ内もしくは前記コネクタに隣接する温度の上昇に応答する温度検知デバイスと、
前記温度検知デバイスから測定値を受信し、過熱を示唆する前記温度検知デバイスから受信された測定値に応答して過熱応答動作を起動するように構成されたコントローラと、を備える、装置。
【請求項２】
第１のコネクタと第１の回路端子との間に結合された第１の導体をさらに備え、前記温度検知デバイスは、前記端子に隣接する、請求項１に記載の装置。
【請求項３】
前記第１の電子回路は、直流（ＤＣ）電源に結合されるように構成された電力コンバータを備える、請求項１または請求項２に記載の装置。
【請求項４】
前記電力コンバータは、ＤＣ−ＤＣコンバータである、請求項３に記載の装置。
【請求項５】
前記電力コンバータは、ＤＣ−ＡＣコンバータである、請求項３に記載の装置。
【請求項６】
過熱応答は、電流から前記第１の電子回路の１つ以上の部分を切断することを含む、請求項１から請求項５の何れか一項に記載の装置。
【請求項７】
方法であって、
電子回路上の第２の位置における温度過上昇を示す、前記電子回路上の第１の位置における温度条件に応答するように、温度センサを構成することと、
前記温度センサを使用して、電子回路の前記第１の位置における温度を検知することと、
電子回路上の前記第１の位置における前記温度が閾値を上回っているかどうかを判定することと、
電子回路上の前記第１の位置で測定された前記温度が前記閾値を上回っているとの判定に応答して、温度過大上昇時の応答動作を起動することと、を含む、方法。
【請求項８】
直流電源に結合されるように前記電子回路を構成することを含む、請求項７に記載の方法。
【請求項９】
第１の導体位置において電子回路上の第１の位置での前記温度を検知することを含む、請求項７または請求項８に記載の方法。
【請求項１０】
前記温度過大上昇時の応答動作の前記起動は、電流から前記電子回路の１つ以上の部分を切断することを含む、請求項７から請求項９の何れか一項に記載の方法。
【請求項１１】
前記温度過大上昇時の応答動作の前記起動は、前記電子回路によって抽出される入力電流を減少させることを含む、請求項７から請求項１０の何れか一項に記載の方法。
【請求項１２】
システムであって、
複数のＰＶデバイスと、
１つ以上の温度センサと、
１つ以上のコントローラと、を備え、
前記複数のＰＶデバイスは、互いに電気的に接続されて少なくとも１つの接続点を形成し、前記１つ以上の温度センサのうちの少なくとも１つは、前記少なくとも１つの接続点の１つ以上における過熱条件に応答して温度を測定するように構成され、前記１つ以上のコントローラのうちの少なくとも１つは、前記１つ以上の温度センサのうちの少なくとも１つから温度測定値を受信するように構成される、システム。
【請求項１３】
装置であって、
容器内にあり、少なくとも第１導電路を含む電子回路と、
前記容器から伸び、前記容器の外にある第１導体および第２導体であって、前記第１導体および前記第２導体の各々が第１端部および第２端部を有し、前記第１導体および前記第２導体の前記第１端部は、前記第１導電路によって前記電子回路に電気的に接続される、第１導体および第２導体と、
第１コネクタおよび第２コネクタであって、前記第１コネクタは前記第１導体の前記第２端部に接続され、および前記第２コネクタは、前記第２導体の前記第２端部に接続される、第１コネクタおよび第２コネクタと、
前記第１導体および前記第２導体の前記第１端部のうちの少なくとも１つに隣接し、前記容器から伸び、前記容器の外にある前記第１導体および前記第２導体のうちの少なくとも１つにおける温度の上昇を検出するように構成された温度検知デバイスと、
前記温度検知デバイスから１つ以上の測定値を受信し、前記温度検知デバイスからの前記１つ以上の測定値からの過熱を示唆する測定値に応答して過熱応答動作を起動するように構成されたコントローラと、
を備える、装置。
【請求項１４】
方法であって、
容器内の電子回路の第１導電路に第１導体の第１端部を結合すること、および、他の回路に接続するように構成された第１コネクタに前記第１導体の第２端部を結合することと、
前記第１導電路に第２導体の第１端部を結合すること、および、第２コネクタに前記第２導体の第２端部を結合することであって、前記第１導体および前記第２導体の各々が前記容器から伸び、前記容器の外にある、結合することと、
前記第１導体および前記第２導体のうちの少なくとも１つにおける温度条件を検出するように温度検知デバイスを構成することであって、前記第１導体および前記第２導体のうちの前記少なくとも１つにおける前記温度条件は過熱を示唆し、前記温度検知デバイスは、前記電子回路の前記第１導電路に隣接し、前記第１導体の前記第１端部および前記第２導体の前記第１端部のうちの少なくとも１つの近くに配置される、構成することと、
検出された前記温度条件が閾値を上回っているかどうか判定することと、
検出された前記温度条件が前記閾値を上回っているとの判定に応答して、過熱応答動作を起動することと、
を備える、方法。
【請求項１５】
システムであって、
複数の太陽光発電デバイスであって、前記複数の太陽光発電デバイスの各々が、
１つ以上の太陽光発電パネルと、
容器内の回路端子と、
前記容器内の第１端部で前記回路端子に結合される第１導体と、
前記第１導体の第２端部に結合される第１コネクタであって、第１隣接太陽光発電デバイスの端子またはコネクタのうちの少なくとも１つに接続するように構成される、第１コネクタと、
前記容器内の第１端部で前記回路端子に結合される第２導体と、
前記第２導体の第２端部に結合される第２コネクタであって、第２隣接太陽光発電デバイスのコネクタに接続するように構成される、第２コネクタと、
を含む、複数の太陽光発電デバイスと、
１つ以上の温度検知デバイスと、
１つ以上のコントローラと、
を備え、
前記複数の太陽光発電デバイスは、前記第１導体の前記第１コネクタを介して前記第１隣接太陽光発電デバイスに電気的に接続され、および前記第２導体の前記第２コネクタを介して前記第２隣接太陽光発電デバイスに電気的に接続され、少なくとも１つの接続点を形成し、
前記１つ以上の温度検知デバイスのうちの少なくとも１つは、前記容器から伸び、前記容器の外にある前記第１導体および前記第２導体の前記少なくとも１つの接続点の１つ以上における過熱条件に応答して温度を測定するように構成され、
前記１つ以上のコントローラのうちの少なくとも１つは、前記１つ以上の温度検知デバイスのうちの少なくとも１つから温度測定値を受信するように構成される、
システム。
【請求項１６】
装置であって、
第１端部および第２端部を有する電気ケーブルであって、
電流を導通するための導電セクションと、
前記導電セクションに近接して載置され、前記導電セクションでの、または前記導電セクションに近接する温度を検出するように構成された熱検出デバイスと、
を含む、電気ケーブルと、
前記電気ケーブルの前記第１端部に結合されたコネクタであって、端子または他のコネクタに接続するように構成される、コネクタと、
を備え、
前記電気ケーブルの前記第２端部は、電力デバイスの容器内の回路端子に結合するように構成され、前記回路端子に隣接する温度検知デバイスは、前記電気ケーブルにおける温度の上昇を検出するように構成される、
装置。